(57)【特許請求の範囲】
【請求項１】
下式を有する、フタロシアニンシアン染料。
【化１】
0003889995.tif 000016
（式中、
Ｍは、Ｃｕ、Ｆｅ、Ｃｏ、Ｍｇ、Ｍｎ、Ｓｎ及びＮｉから選択される金属のイオンであり、
Ｘは、ＣＯＮＨ（ＣＨ２）４であり、
Ｒ１は、ピリジン、イミダゾール、スルフィド、チオール、フェノール、ベンゼン、ベンズアルデヒド、ピリミジン、トリアジン、チアゾール、オキサゾール、ピリドン、ピロン、ピロール、チオフェン、フラン、ピラン、ジオキサン、又はモルホリンであり、
Ｒ２は、ＳＯ３Ｈ、ＯＨ、Ｈ、ＮＨ２、ＣＯＯＨ、ＣＯＯＮ（Ｒ３）２、ＣＯＯＮＨＲ３、ＣＯＮ（Ｒ３）２、ＣＯＮＨＲ３（ここで、Ｒ３は、置換又は非置換の、水可溶化基含有のアルキル基を示し、この場合、前記水可溶化基はＣＯＯＨ、ＳＯ３Ｈ又はＯＨである）、及びそれらの対応する塩からなる群から選択される原子又は基の１種であり、
ｙ及びｚは、各々独立して、２≦ｙ＋ｚ≦４の関係を満足する１から３の整数である）。
【請求項２】
前記ｙとｚが、３≦ｙ＋ｚ≦４の関係を満足する、請求項１に記載のフタロシアニンシアン染料。
【請求項３】
前記ｙとｚが、ｙ＋ｚ＝４の関係を満足する、請求項１に記載のフタロシアニンシアン染料。
【請求項４】
前記Ｒ１がピリジンである、請求項１に記載のフタロシアニンシアン染料。
【請求項５】
前記Ｒ１がイミダゾールである、請求項１に記載のフタロシアニンシアン染料。
【請求項６】
前記Ｍが銅イオンである、請求項１に記載のフタロシアニンシアン染料。
【請求項７】
染料、水及び水溶性有機溶媒を含むインクであって、
前記染料が、下記一般式(I)によって表される少なくとも１つの染料を含むインク。
【化２】
0003889995.tif 000017
（式中、
Ｍは、Ｃｕ、Ｆｅ、Ｃｏ、Ｍｇ、Ｍｎ、Ｓｎ及びＮｉから選択される金属のイオンであり、
Ｘは、ＣＯＮＨ（ＣＨ２）４であり、
Ｒ１は、ピリジン、イミダゾール、スルフィド、チオール、フェノール、ベンゼン、ベンズアルデヒド、ピリミジン、トリアジン、チアゾール、オキサゾール、ピリドン、ピロン、ピロール、チオフェン、フラン、ピラン、ジオキサン、又はモルホリンであり、
Ｒ２は、ＳＯ３Ｈ、ＯＨ、Ｈ、ＮＨ２、ＣＯＯＨ、ＣＯＯＮ（Ｒ３）２、ＣＯＯＮＨＲ３、ＣＯＮ（Ｒ３）２、ＣＯＮＨＲ３（ここで、Ｒ３は、置換又は非置換の、水可溶化基含有のアルキル基を示し、この場合、前記水可溶化基はＣＯＯＨ、ＳＯ３Ｈ又はＯＨである）、及びそれらの対応する塩からなる群から選択される原子又は基の１種であり、
ｙ及びｚは、各々独立して、２≦ｙ＋ｚ≦４の関係を満足する１から３の整数である）。
【請求項８】
前記ｙとｚが、３≦ｙ＋ｚ≦４の関係を満足する、請求項７に記載のインク。
【請求項９】
前記ｙとｚが、ｙ＋ｚ＝４の関係を満足する、請求項７に記載のインク。
【請求項１０】
前記Ｒ１がピリジンである、請求項７に記載のインク。
【請求項１１】
前記Ｒ１がイミダゾールである、請求項７に記載のインク。
【請求項１２】
前記Ｒ２がＳＯ３Ｈである、請求項７に記載のインク。
【請求項１３】
前記染料が、前記インクの全重量に対して０．１から２０重量％の量で含まれる、請求項７に記載のインク。
【請求項１４】
前記染料が、前記インクの全重量に対して０．５から５重量％の量で含まれる、請求項７に記載のインク。
【請求項１５】
記録用液体が請求項７に記載のインクである、インクジェット印刷システムを使用して前記記録用液体で基体に印刷するための方法。
【発明の詳細な説明】
【０００１】
【発明の属する技術分野】
本発明は、インクジェット印刷用のインク組成物及びそれを使用する印刷方法に関し、より詳細には、フタロシアニン誘導体、それを含むインク組成物及びそのインク組成物と前述のフタロシアニン誘導体を使用してカラー画像を形成するための方法に関する。
【０００２】
【従来の技術】
インク組成物は、ある総合的な性質及び性能特性を有することが必要とされる。具体的には、優れたカラー再現性を有することが要求されるだけではなく、耐水性及び耐光性に優れた画像を生成することも要求される。加えて、記録媒体上へインク組成物の液滴を射出して画像を形成するインクジェット印刷においては、インク組成物は、万年筆やボールペンなどの普通の筆記用具用として要求されるよりもさらに厳しい諸特性を備えていることが必要とされる。例えば、その場合のインク組成物は、適当な粘度と適切な表面張力を有し、適当な安定性を備え、且つノズルの詰まりを起こさせないことが要求される。
【０００３】
インクジェットプリンタは、一般に、イエロー、マゼンタ及びシアンインク組成物と、任意に、ブラックインク組成物を用いてカラー画像を作り出す。これらのインク組成物を重ねることにより、その他の色が創り出される。そのようなカラー印刷では、それぞれのインク組成物は、それ自体のカラーを高度に再現可能であることが必要である。これに加えて、これらのインク組成物は、相互にインク組成物を重ねることによって創り出されるレッド、グリーン及びブルー、そして任意にブラックの再現性が優れていなければならない。
【０００４】
一般に、インクジェット印刷用のインク組成物に要求される前述の多くの諸性質は、水溶性染料、水及び水溶性有機溶媒を含有する水性インク組成物によって満足させることができる。色調、耐水性及び耐光性などの印刷画像の諸性質は、使用される染料に大いに依存する。これまで種々の染料を利用することが試みられてきた。
【０００５】
シアン即ちブルー染料としてのフタロシアニン誘導体を含むインク組成物は、当分野で周知である。種々のフタロシアニン誘導体の使用が、例えば、米国特許第５，２９６，０２３号、米国特許第５，７０４，９６９号、米国特許第４，６３２，７０３号、米国特許第５，１２３，９６０号及び特開昭６１−２７７２号公報、特開昭６２−１４９７５８号公報、特開昭６２−１９０２７３号公報及び特開平３−２００８８３号公報に開示されている。しかしながら、フタロシアニン誘導体を含むこれらのインク組成物には改善の余地が未だ存在する。
【０００６】
【発明が解決しようとする課題】
前出の諸々の欠点を考慮すると、当分野においては所望の性能特性（例えば、高彩度並びに良好なインク品質、ペン信頼性、色調、耐水性及び耐光性を有する）を有する、フタロシアニン含有染料及びインク組成物が必要とされている。そのような染料及びインク組成物には、高められた性能特性を有し、高濃度の他の塩基あるいは有機化合物のインクへの添加を要しないという更なる必要性が存在する。
【０００７】
【課題を解決するための手段】
本発明は、新規なフタロシアニンシアン染料、それらの染料を含有するインク調合物、及びそのフタロシアニンシアン染料含有インクを用いるインクジェット印刷方法に関する。本発明は、モノマー染料の形成と増大された彩度をもたらす、１つ又はより多くの付加キレートアームを有するフタロシアニンシアン染料を提供する。本発明により、次式(I)で表されるフタロシアニン染料が与えられる。
【０００８】
【化式３】
0003889995.tif 000002
【０００９】
式中、
Ｍは、Ｃｕ、Ｆｅ、Ｃｏ、Ｍｇ、Ｍｎ、Ｓｎ及びＮｉから選択される金属のイオンであり、
Ｘは、Ｃ、Ｏ及び／又はＮ、すなわち、Ｃ、Ｏ及びＮの少なくとも１つ、を含み、６から10個、好ましくは６から８個、の原子の長さを有する線状化合物であり、
Ｒ１は、ピリジン、イミダゾール、スルフィド、チオール、フェノール、ベンゼン、ベンズアルデヒド、ピリミジン、トリアジン、チアゾール、オキサゾール、ピリドン、ピロン、ピロール、チオフェン、フラン、ピラン、ジオキサン、モルホリン、及びそれらの誘導体であり、
Ｒ２は、前記フタロシアニンシアン染料に水溶性を付与する原子又は化学基であり、具体的には、ＳＯ３Ｈ、ＳＨ、ＯＨ、ＣＯＯＨ、Ｈ、ＮＨ２、ＣＯＯＮＨＲ３、ＣＯＯＮ（Ｒ３）２、ＣＯＮ（Ｒ３）２、ＣＯＮＨＲ３［ここで、Ｒ３は、置換又は非置換の、水可溶化基（例えば、ＣＯＯＨ、ＳＯ３Ｈ、ＯＨ等の）を含むアルキル基）］及びそれら（ＣＯＯＨ、ＳＯ３Ｈ基等）の対応する塩（例えば、Ｎａ＋、Ｋ＋、ＮＨ４＋）であり、加えて、これらの水可溶化基は、式Ａ−Ｂであってもよく、Ａはアルキレン基を示し且つＢは、ＳＯ３Ｈ、ＯＨ、ＣＯＯＨ、ＮＨ２、ＣＯＯＮＨＲ３、ＣＯＯＮ（Ｒ３）２、ＣＯＮ（Ｒ３）２、及びＣＯＮＨＲ３基（ここで、Ｒ３は前記と同じ意味を有する）を示し、例えば、ＣＨ２ＣＨ２−ＳＯ３Ｈ、であり、
ｙ及びｚは、各々独立して、２≦ｙ＋ｚ≦４の関係を満足する１から３の整数である、
【００１０】
本発明は、また、液体調製品、シアンインク組成物及び少なくとも１つの式(I)の染料を含有するシアンインクを有するインクセットも提供する。
【００１１】
【発明の実施の形態】
本発明のフタロシアニン染料は、上記の式(I)で表される化合物である。
【００１２】
本発明の１つの実施態様において、式(I)のフタロシアニン骨格における４個のベンゼン環の１つにおける水素原子の１つは、Ｃ、Ｏ及び／又はＮを含む６〜10個、例えば、６〜８個、さらには７〜８個、の原子の長さの線状化合物で置換される（式(I)の位置Ｘ）。適当な塩基（式(I)のＲ１で示される）は、溶液中で単量体のフタロシアニン種を形成するために上記線状化合物の末端に共有的に付着される。その線状化合物に付着される適当な塩基化合物には、ピリジン、イミダゾール、スルフィド、チオール、フェノール、ベンゼン、ベンズアルデヒド、ピリミジン、トリアジン、チアゾール、オキサゾール、ピリドン、ピロン、ピロール、チオフェン、フラン、ピラン、ジオキサン、モルホリン、及びそれらの誘導体が包含される。
【００１３】
上記の場合において、フタロシアニン骨格における残りの３個のベンゼン環における３つの水素原子は、式(I)のフタロシアニン誘導体に水溶解性を付与するその他の任意の基で置換されてもよい。適当な置換基（式(I)のＲ２で示される）は、ＳＯ３Ｈ、ＳＨ、ＯＨ、ＣＯＯＨ、Ｈ、ＮＨ２、ＣＯＯＮＨＲ３、ＣＯＯＮ（Ｒ３）２、ＣＯＮ（Ｒ３）２、ＣＯＮＨＲ３［ここで、Ｒ３は、置換又は非置換の、水可溶化基（例えば、ＣＯＯＨ、ＳＯ３Ｈ、ＯＨ等）、又はそれら（ＣＯＯＨ、ＳＯ３Ｈ基等）の対応する塩（例えば、Ｎａ＋、Ｋ＋、ＮＨ４＋）を含むアルキル基を示す］を含む。加えて、これらの水可溶化基は、式Ａ−Ｂであってもよく、ここで、Ａはアルキレン基であり、ＢはＳＯ３Ｈ、ＯＨ、ＣＯＯＨ、ＮＨ２、ＣＯＯＮＨＲ３、ＣＯＯＮ（Ｒ３）２、ＣＯＮ（Ｒ３）２、及びＣＯＮＨＲ３基（ここで、Ｒ３は、前記と同じ意味を有する）を示し、例えば、ＣＨ２ＣＨ２−ＳＯ３Ｈ、である。適当な置換基には、結合された線状化合物と上述の付着塩基（ＭＲ１で示される）も包含される。前述の置換基の位置は特に制限されないことが理解されよう。
【００１４】
上記式(I)において、Ｘは、例えば、Ｃ、Ｏ及びＮの少なくとも１つを含み、且つそれらの合計が６〜10個、さらには７〜８個の連結基であっても良い。この場合、線状部分の原子数は６〜10個であることが好ましい。
【００１５】
又、上記式(I)において、Ｒ１は、ピリジン、イミダゾール、スルフィド、フェノール、それらの誘導体、及び、それらから誘導される基のいずれかであっても良い。
【００１６】
上記の式(I)で表された化合物において、ｙ及びｚは、各々独立して、１〜３の整数であり、好ましくは、３≦ｙ＋ｚ≦４の関係を満足し、そしてより好ましくは、ｙ＋ｚ＝４の関係を満足する。本発明の好ましい実施態様では、ｙは１であり且つｚは３である。
【００１７】
本発明のインク調合物に含有される、上記の式(I)で表される化合物は、湿潤剤などの、有機溶媒に対して強い親和力を有する１つ又はより多くの親水基（例えば、ＳＯ３Ｈ、ＳＨ、ＯＨなど）を有する。それ故、化合物は、水だけではなく水溶性有機溶媒にもよく溶解する。従って、空気との長期の接触やインク調合物又は液体からの水分の蒸発にも関わらず、本発明のシアン染料の沈殿物の生成は、最小限にされるか又は防止されるであろう。その結果として、インクジェットプリンタの記録ヘッドのオリフィスの詰まりも抑制される。
【００１８】
上記式(I)で表される染料の具体例には、以下に挙げられるNo.１〜No. 39の染料が包含され得る。
【００１９】
【化４】
0003889995.tif 000003
【００２０】
【化５】
0003889995.tif 000004
【００２１】
【化６】
0003889995.tif 000005
【００２２】
【化７】
0003889995.tif 000006
【００２３】
【化８】
0003889995.tif 000007
【００２４】
【化９】
0003889995.tif 000008
【００２５】
【化１０】
0003889995.tif 000009
【００２６】
【化１１】
0003889995.tif 000010
【００２７】
【化１２】
0003889995.tif 000011
【００２８】
【化１３】
0003889995.tif 000012
【００２９】
【化１４】
0003889995.tif 000013
【００３０】
本発明の染料は、好ましくは、0.1〜20重量％の式(I)の化合物を含む水溶液であり得る。本発明の染料は、少なくとも１つの式(I)の化合物を、必要であれば、無機及び／又は有機塩基を添加して、水に溶解することにより調製することができる。あるいは又、染料の合成中に形成される合成溶液又は懸濁液を、必要であれば無機及び／又は有機塩基を添加して、さらに必要であれば水を添加して、中間の染料を分離することなく本発明の染料調製物に変換することができる。ほとんどの場合、これは溶解度を改善する有機添加剤を全く使用することなく実施することができる。
【００３１】
無機塩基及び有機塩基の例には、例えば、水酸化リチウム、水酸化ナトリウム、水酸化カリウム、炭酸リチウム、炭酸ナトリウム、炭酸カリウムなどの、リチウム、ナトリウム、カリウム、アンモニウムの水酸化物、炭酸塩及び炭酸水素塩、あるいは、モノエタノールアミン、ジエタノールアミン、トリエタノールアミン、３−プロパノールアミン、２−プロパノールアミン、ジプロパノールアミン、ジイソプロパノールアミン、トリプロパノールアミン、トリイソプロパノールアミン、ジエチルアミン、トリエチルアミン、Ｎ−メチルエタノールアミン、Ｎ−メチルジエタノールアミン、Ｎ−エチルジエタノールアミン、Ｎ，Ｎ−ジメチルエタノールアミン、Ｎ，Ｎ−ジエチルメタノールアミン、Ｎ−フェニルエタノールアミン、１−アミノ−２−プロパノール、２−アミノ−１−プロパノール、Ｎ−２−ヒドロキシエチルジイソプロパノールアミン、トリス−Ｎ，Ｎ，Ｎ−［２−（２’−ヒドロキシエトキシ）エチル］アミンなどの有機アミン、又は、例えば、モルホリン又はヒドロキシエチルモルホリンなどのヘテロ環アミンが包含される。
【００３２】
本発明の染料調製物のｐＨを調整するのに使用される塩基は、好ましくは、合成の結果として既に存在し得るアルカリ金属水酸化物である。
【００３３】
さらに、本発明は、式(I)の少なくとも１つの染料を含む印刷用インク及びその印刷用インクを調製する方法を提供する。好ましくは、本発明の印刷用インクは、0.1〜20重量％、より好ましくは0.5〜15重量％、そして最も好ましくは、0.5〜５重量％の、水及び又は有機溶媒に溶解された式(I)の染料（アルカリ金属塩又はアンモニウム塩の形でも良い）を含む。本発明の印刷用インクのｐＨは、ｐＨ４と１３の間であってよい。好ましくは、印刷用インクは５〜10のｐＨを示す。
【００３４】
本発明による印刷用インクは、例えば、界面活性剤、殺真菌剤又は殺菌剤などの慣習的な添加剤を、それら添加剤の慣習に従った量で含むことができる。本発明の印刷用インクは、50重量％までの有機溶媒を含むことができる。好ましくは、本発明の印刷用インクは、０〜30重量％、特に好ましくは、２〜30重量％の有機溶媒含む。
【００３５】
適当な有機溶媒は、特に水溶性の有機溶媒であり、例えば、メタノール、エタノール、ｎ−プロパノール、イソプロパノール、ｎ−ブタノール、ｓｅｃ−ブタノール、ｔｅｒｔ−ブタノール、イソブタノール、ペンタンジオールなどのアルコール、特にＣ１−Ｃ４のアルコール、例えば、ホルムアミド及びジメチルアセトアミドなどのカルボキシアミド、アセトン及びジアセトンアルコールなどのケトン又はケトンアルコール、テトラヒドロフラン及びジオキサンなどの環状エステル、２−ピロリドン、Ｎ−メチル−２−ピロリドン及び１，３−ジメチル−２−イミダゾリドンなどの窒素含有ヘテロ環、ポリエチレングリコール及びポリプロピレングリコールなどのポリアルキレングリコール、エチレングリコール、プロピレングリコール、ブチレングリコール、トリエチレングリコール、チオジグリコール、ヘキシレングリコール及びジエチレングリコールなどのＣ２−Ｃ６−アルキレン単位を含むアルキレングリコール及びチオグリコール、グリセリン及び１，２，６−ヘキサントリオールなどのその他のポリオール、２−メトキシエタノール、２−（２−メトキシ−エトキシ）エタノール、２−（２−エトキシエトキシ）エタノール、２−メトキシ−２−エトキシ−２−エトキシエタノール、２−［２−（２−メトキシエトキシ）エトキシ］エタノール及び２−［２−（２−エトキシエトキシ）エトキシ］エタノールなどのアルコールのアルキルエーテル及びポリアルキルエーテル、及びスルホキシド及びスルホン、特に、分子量＜２００のものが包含される。
【００３６】
本発明による印刷用インクは、式(I)の染料とは別に、例えば、陰影用又は着色用として役立ち得る、印刷用インクに慣習的な１つ又はより多くの染料も又、含むことができる。
【００３７】
特に適切な溶媒の例は、エチレングリコール、ジエチレングリコール、トリエチレングリコール、１，５−ペンタンジオール、２−ヒドロキシエチルアセテート、１−ヒドロキシエチルアセテート、グリセリン、１，２−ジヒドロキシプロパン、１−メトキシ−２−プロパノール、２−メトキシ−１−プロパノール、Ｎ，Ｎ−ジメチルホルムアミド、ピロリドン、Ｎ−メチルピロリドン、ε−カプロラクタム、テトラメチル尿素、１，３−ジメチル−２−イミダゾリジノン、Ｎ，Ｎ’−ジメチルプロピレン尿素、ジメチルスルホキシド、ジメチルスルホン、スルホラン、１−エトキシ−２−ヒドロキシ−プロパン、５００までの分子量を有するポリエチレングリコール、２−ピロリドン、Ｎ−メチル−２−ピロリドン及び１，３−ジメチル−２−イミダゾリドンなどのヘテロ環ケトンである。
【００３８】
本発明による印刷用インクは、式(I)の染料の塩を水及び／又は１つ又はより多くの上述の有機溶媒に、もし適するなら、高温度で且つ、もし適するなら、前述の無機及び／又は有機塩基を添加して、溶解することにより調製することができる。もし所望であれば、さらに、例えば、粘度を低下させることができる添加剤及び／又は表面張力を高めることができる添加剤などの、慣習的なイオン性又はノニオン性の添加剤を使用することもできる。式(I)の塩の代わりに、対応する遊離酸を少なくとも等モル量の対応塩基と組合せて用いることも可能である。本発明の印刷用インクを調製するために用いられる式(I)の染料は、例えば、限外濾過、微細濾過、逆浸透法又はそれらの組合せなどの膜処理方法を適用して、最初に精製、脱塩及び、必要なら、濃縮することができる。膜処理で生成された溶液又は懸濁液は、本発明の印刷用インクを調製するのに直接使用することができる。しかし、その溶液又は懸濁液を、例えば、噴霧乾燥処理によって、固体調合物に変換させることも又可能である。
【００３９】
本発明の染料の合成において、生成される合成溶液又は懸濁液を、中間染料又は本発明の染料調製物を分離することなく、もし適当なら、無機及び／又は有機塩基、もしくは無機及び／又は有機溶媒、及び水を添加して、本発明の印刷用インクに変換することも又可能である。合成溶液又は懸濁液は、例えば、限外濾過、微細濾過、逆浸透法又はそれらの組合せなどの膜処理方法を適用して、最初に精製且つ脱塩することができる。
【００４０】
本発明は、また、インクジェット記録システム、その記録液として使用される、本発明による印刷用インクを使って基体を印刷するための方法も提供する。本発明の印刷用インクは、好ましくは、インクジェット記録システム用の記録液として使用される。インクジェット記録システムの例は、サーマルジェット、バブルジェット（登録商標）、圧電式インクジェット又はバルブインクジェットなどのインクジェットプリンタである。インクジェットプリンタ用の好ましい記録材料は、紙、コート紙及びＲＣ（レジンコート）紙である。
【００４１】
インクジェット印刷方法は、それ自体周知である。一般に、この方法では、インクジェットインクの液滴が１つ又はより多くの小さいノズルから吐出され、そして特定の方法で支持体を標的として方向づけされる。電子変調によって個々の液滴が組み合わされて文字又は図形パターンが与えられる。それには、インクが、支持体、好ましくは紙、と相互作用する必要がある。インクは拡がり過ぎることなく紙に入って行くべきであり、そうでなければ印刷品質が悪影響を受けることになる。印刷された情報は、急速に乾燥しなければならず、且つ耐水性であり且つ耐摩擦堅牢性でなければならない。多くのインクは、幾つかの所望の性質を備えるために他の諸性質を犠牲にしている。
【００４２】
本発明による記録用流体は次の利点を有する。粘度、表面張力等の物理特性が適当な範囲にある。記録用流体は、インクジェット記録装置の小さい出口オリフィスを塞がない。記録用流体は、高密度の画像を作り出す。保存によって物理特性が変化せず且つ記録流体中での固体成分の沈殿が生じない。記録流体は、記録用媒体の種類に関する何らかの制限もなく広範囲の記録用媒体上で印刷するのに適している。そして最後に、記録流体は、急速に定着され且つ耐水性、耐光性、耐摩耗性及び解像度に優れた画像を作り出す。
【００４３】
いわゆるインクジェット記録用のライティングツール又は記録液として、本発明の成分から調製されるインク組成物と染料は、記録特性（信号応答、安定な液滴形成、安定な放出、長時間の連続記録能力、長時間の記録中断後の安定な放出）、保存安定性、記録剤の溶液安定性、記録材料上への良好な定着などの特性、及び耐光性、耐候性、記録画像の耐水性又はアルコール耐性がうまく釣り合っている。前述の諸特性のさらなる改善のため、当分野で周知の様々な添加剤を本発明の記録流体に組み入れてもよい。
【００４４】
前記添加剤には、例えば、ポリビニルアルコール、セルロース及び水溶性樹脂などの粘度制御剤、カチオン、アニオン及びノニオン界面活性剤などの種々の界面活性剤、ジエタノールアミン、トリエタノールアミン等の表面張力制御剤、緩衝剤を使用したｐＨ制御剤、及びその他が包含され得る。
【００４５】
インク組成物が荷電される方式の印刷に使用できるようにインク組成物を調製するために、塩化リチウム、塩化アンモニウム、塩化ナトリウム等を含む無機塩などの特定の耐性を制御する物質を使用しても良い。また、放出オリフィスの先端における保水向上剤として、尿素及びチオ尿素が好ましく使用され得る。熱の作用によってインク組成物を放出する印刷方法では、熱物理特性（例えば、比熱、熱膨張係数、熱伝導率等）を時々調節することがある。
【００４６】
本発明のインク組成物及びシアン染料は、インクジェット印刷に採用した場合に、特に優れた特性を示すが、当然ながらそれらインク組成物及びシアン染料は、紙などの記録材料上で記録を行う万年筆、フェルトペン等の普通の筆記用具にも使用することができる。
【００４７】
【実施例】
染料の合成
ポット反応において、当分野で周知の方法に従い、フタロシアニンをフッ化銅及び過酸化水素水溶液と化合させて金属ベースのフタロシアニン錯体を生成させる。仕込みフタロシアニンの反応完了まで、この反応を薄層クロマトグラフィーで監視する。減圧下で溶媒を除去し、その残渣をＣＨ２Ｃｌ２で抽出しそして水洗する。次いで、塩化オキサリル触媒とＡｌＣｌ３触媒（又は、Ｊ．ＭａｒｃｈによるＡｄｖａｎｃｅｄ  Ｏｒｇａｎｉｃ  Ｃｈｅｍｉｓｔｒｙ、第４版、第５４６頁に言及されたようなその他の方法（その内容はここに引用により組み入れられる））を使ってＣＯＯＨ基をベンゼン環上へ配置する。この材料を１当量のＰＣｌ５で処理し、引き続き２−（４−アミノブチル）イミダゾールと反応させることにより、以下の染料No. 40として識別される次の化合物となる。
【００４８】
【化１５】
0003889995.tif 000014
【００４９】
代替の合成としては、例えば以下のように、キレート化フタロシアニンを生成するために、置換し得る側基を直接有するフタロシアニンを形成するための置換フタロニトリルと所望の金属のイオンとの反応が包含されるであろう。
【００５０】
【化１６】
0003889995.tif 000015
【００５１】
式中、Ｍは、Ｃｕ、Ｆｅ、Ｃｏ、Ｍｇ、Ｍｎ、Ｓｎ及びＮｉから選択される金属のイオンである。
【００５２】
本発明の生成物を合成し得るその他の方法は多数ある。例えば、その他の金属と酸を用いて金属フタロシアニン錯体を作製できることは、当分野で周知である。例えば、Ｍａｙａ等、Ｊ．Ｏｒｇ．Ｃｈｅｍ．２０００、６５、２７３３−２７３９、Ｓａｓｔｒｅ等、Ｊ．Ｏｒｇ．Ｃｈｅｍ．１９９６、６１、８５９１−８５９７を参照されたい（これらの内容は引用によりここに組み入れられる）。その他の方法、例えば架橋結合反応を含むものなども又、金属フタロシアニン錯体を生成するのに使用できる。加えて、その他の加水分解、分子内反応及び分子間反応も、金属フタロシアニン錯体上に置換基を形成するのに使用することができる。反応混合物を還流により加熱し、続いてリチウム又はアセトンの処理を行って、置換基をベースの錯体に付加させることができる。さらに、金属塩もまた、対応する金属フタロシアニン錯体を得るために、縮合を促進するのに使用され得る。前述の合成技術が当分野で周知であって、本発明の作製に使用できる特定の方法の単なる代表であることは理解されるであろう。
【００５３】
【発明の効果】
本発明によれば、モノマー染料の形成と増大された彩度をもたらす、新規なフタロシアニンシアン染料、それらの染料を含有するインク調合物、及びそのフタロシアニンシアン染料含有インクを用いるインクジェット印刷方法が提供される。